(57)【特許請求の範囲】
【請求項１】
塗装ガンに着脱可能に取り付けられて回転駆動されると共に、回転中心部分に、塗料の通過経路の一部としての塗料部屋を有した回転霧化頭であって、
前記塗料部屋を内側に備えたインナーハウジングと、そのインナーハウジングを前方から受容可能な中央組付孔を有したアウターハウジングとに分割されると共に、前記インナーハウジングが、回転中心軸と直交する方向又は回転中心軸回りの周方向で複数の縦割インナー構成体に分割され、
前記インナーハウジングを前記中央組付孔に抜け止めしたインナー抜止係合手段と、
前記中央組付孔外で前記複数の縦割インナー構成体を互いに合体させた状態に位置決め可能なインナー合体位置決手段と、
前記中央組付孔外で前記複数の縦割インナー構成体を互いに合体した状態に保持可能なインナー仮保持手段と、を備えたことを特徴とする回転霧化頭。
【請求項２】
前記インナーハウジングと前記アウターハウジングとを螺合結合した螺合結合手段を、前記インナー抜止係合手段として備えたことを特徴とする請求項１に記載の回転霧化頭。
【請求項３】
前記インナーハウジングのうち前記中央組付孔を通して後方に露出した後端面に形成されて、前記インナーハウジングを回転させるための工具を係合可能な工具係合部を備えたことを特徴とする請求項２に記載の回転霧化頭。
【請求項４】
塗装ガンに着脱可能に取り付けられて回転駆動されると共に、回転中心部分に、塗料の通過経路の一部としての塗料部屋を有した回転霧化頭であって、
前記塗料部屋を内側に備えたインナーハウジングと、そのインナーハウジングを前方から受容可能な中央組付孔を有したアウターハウジングとに分割されると共に、前記インナーハウジングが、回転中心軸と直交する方向又は回転中心軸回りの周方向で複数の縦割インナー構成体に分割され、
前記インナーハウジングを前記中央組付孔に抜け止めしたインナー抜止係合手段としての前記インナーハウジングと前記アウターハウジングとを螺合結合した螺合結合手段と、
前記インナーハウジングのうち前記中央組付孔を通して後方に露出した後端面に形成されて、前記インナーハウジングを回転させるための工具を係合可能な工具係合部と、を備えたことを特徴とする回転霧化頭。
【請求項５】
前記中央組付孔外で前記複数の縦割インナー構成体を互いに合体させた状態に位置決め可能なインナー合体位置決手段を備えたことを特徴とする請求項４に記載の回転霧化頭。
【請求項６】
前記インナーハウジングは、前記塗料部屋の前面側の前面区画壁の一部又は全体を構成するフロントインナー構成体と、前記複数の縦割インナー構成体とに分割されたことを特徴とする請求項１乃至５の何れか１の請求項に記載の回転霧化頭。
【請求項７】
塗装ガンに着脱可能に取り付けられて回転駆動されると共に、回転中心部分に、塗料の通過経路の一部としての塗料部屋を有した回転霧化頭であって、
前記塗料部屋を内側に備えたインナーハウジングと、そのインナーハウジングを前方から受容可能な中央組付孔を有したアウターハウジングとに分割されると共に、前記インナーハウジングが、回転中心軸と直交する方向又は回転中心軸回りの周方向で複数の縦割インナー構成体に分割され、
前記インナーハウジングを前記中央組付孔に抜け止めしたインナー抜止係合手段を備え、
前記インナーハウジングの前端外縁部から前方に突出し、先端に向かって徐々に薄くなった可撓筒壁を備え、前記可撓筒壁を縮径変形させて前記中央組付孔の内面に押し付けたことを特徴とする回転霧化頭。
【請求項８】
前記中央組付孔外で前記複数の縦割インナー構成体を互いに合体させた状態に位置決め可能なインナー合体位置決手段を備えたことを特徴とする請求項７に記載の回転霧化頭。
【発明の詳細な説明】
【技術分野】
【０００１】
本発明は、塗装ガンに着脱可能に取り付けられて回転駆動されると共に、回転中心部分に、塗料の通過経路の一部としての塗料部屋を有した回転霧化頭に関する。
【背景技術】
【０００２】
従来、この種の回転霧化頭として、塗料部屋の前面を閉塞する前面区画壁を、それ以外の本体部から取り外し可能な構成とすることで、塗料部屋の前面を開放して、その内部の清掃可能としたものが知られている（例えば、特許文献１参照）。
【先行技術文献】
【特許文献】
【０００３】
【特許文献１】特開２００２−１６６１９９号公報（図１）
【発明の概要】
【発明が解決しようとする課題】
【０００４】
しかしながら、上記した従来の回転霧化頭では、前面を開放した塗料部屋の奥側に位置する後端部を清掃することが困難であった。
【０００５】
本発明は、上記事情に鑑みてなされたもので、従来より容易に塗料部屋内の全体を清掃することが可能な回転霧化頭の提供を目的とする。
【課題を解決するための手段】
【０００６】
上記目的を達成するためになされた請求項１の発明に係る回転霧化頭は、塗装ガンに着脱可能に取り付けられて回転駆動されると共に、回転中心部分に、塗料の通過経路の一部としての塗料部屋を有した回転霧化頭であって、塗料部屋を内側に備えたインナーハウジングと、そのインナーハウジングを前方から受容可能な中央組付孔を有したアウターハウジングとに分割されると共に、インナーハウジングが、回転中心軸と直交する方向又は回転中心軸回りの周方向で複数の縦割インナー構成体に分割され、インナーハウジングを中央組付孔に抜け止めしたインナー抜止係合手段と、中央組付孔外で複数の縦割インナー構成体を互いに合体させた状態に位置決め可能なインナー合体位置決手段と、中央組付孔外で複数の縦割インナー構成体を互いに合体した状態に保持可能なインナー仮保持手段と、を備えたところに特徴を有する。
【０００９】
請求項２の発明は、請求項１に記載の回転霧化頭において、インナーハウジングとアウターハウジングとを螺合結合した螺合結合手段を、インナー抜止係合手段として備えたところに特徴を有する。
【００１０】
請求項３の発明は、請求項２に記載の回転霧化頭において、インナーハウジングのうち中央組付孔を通して後方に露出した後端面に形成されて、インナーハウジングを回転させるための工具を係合可能な工具係合部を備えたところに特徴を有する。
上記目的を達成するためになされた請求項４の発明に係る回転霧化頭は、塗装ガンに着脱可能に取り付けられて回転駆動されると共に、回転中心部分に、塗料の通過経路の一部としての塗料部屋を有した回転霧化頭であって、塗料部屋を内側に備えたインナーハウジングと、そのインナーハウジングを前方から受容可能な中央組付孔を有したアウターハウジングとに分割されると共に、インナーハウジングが、回転中心軸と直交する方向又は回転中心軸回りの周方向で複数の縦割インナー構成体に分割され、インナーハウジングを中央組付孔に抜け止めしたインナー抜止係合手段としてのインナーハウジングとアウターハウジングとを螺合結合した螺合結合手段と、インナーハウジングのうち中央組付孔を通して後方に露出した後端面に形成されて、インナーハウジングを回転させるための工具を係合可能な工具係合部と、を備えたところに特徴を有する。
請求項５の発明は、請求項４に記載の回転霧化頭において、中央組付孔外で複数の縦割インナー構成体を互いに合体させた状態に位置決め可能なインナー合体位置決手段を備えたところに特徴を有する。
【００１１】
請求項６の発明は、請求項１乃至５の何れか１の請求項に記載の回転霧化頭において、インナーハウジングは、塗料部屋の前面側の前面区画壁の一部又は全体を構成するフロントインナー構成体と、複数の縦割インナー構成体とに分割されたところに特徴を有する。
【００１３】
上記目的を達成するためになされた請求項７の発明に係る回転霧化頭は、塗装ガンに着脱可能に取り付けられて回転駆動されると共に、回転中心部分に、塗料の通過経路の一部としての塗料部屋を有した回転霧化頭であって、塗料部屋を内側に備えたインナーハウジングと、そのインナーハウジングを前方から受容可能な中央組付孔を有したアウターハウジングとに分割されると共に、インナーハウジングが、回転中心軸と直交する方向又は回転中心軸回りの周方向で複数の縦割インナー構成体に分割され、インナーハウジングを中央組付孔に抜け止めしたインナー抜止係合手段を備え、インナーハウジングの前端外縁部から前方に突出し、先端に向かって徐々に薄くなった可撓筒壁を備え、可撓筒壁を縮径変形させて中央組付孔の内面に押し付けたところに特徴を有する。
【００１４】
請求項８の発明は、請求項７に記載の回転霧化頭において、中央組付孔外で複数の縦割インナー構成体を互いに合体させた状態に位置決め可能なインナー合体位置決手段を備えたところに特徴を有する。
【発明の効果】
【００１５】
［請求項１〜４の発明］
請求項１，４の回転霧化頭の構成によれば、インナー抜止係合手段による係合を解除してインナーハウジングをアウターハウジングの中央組付孔から取り出してから複数の縦割インナー構成体に分解することで、塗料部屋の全体を側方に開放することができ、従来より容易に塗料部屋内の全体を清掃することができる。また、複数の縦割インナー構成体を合体させてインナーハウジングとした上で、アウターハウジングの中央組付孔内に組み付けてインナー抜止係合手段にて抜け止めすれば、インナーハウジングがアウターハウジングによって周囲を囲まれて縦割インナー構成体同士が合体した状態に固定される。
また、請求項１の構成によれば、中央組付孔外で複数の縦割インナー構成体がインナー合体位置決手段によって互いに合体した状態に位置決めされるので、アウターハウジングとインナーハウジングとの合体操作中に、複数の縦割インナー構成体が位置ずれすることが防がれ、アウターハウジングとインナーハウジングとの合体操作を容易に行うことができる。
さらに、中央組付孔外で複数の縦割インナー構成体がインナー仮保持手段によって合体状態に保持されるので、アウターハウジングとインナーハウジングとの合体操作中に、そのインナーハウジングが複数の縦割インナー構成体に分離することが防がれ、アウターハウジングとインナーハウジングとの合体操作を容易に行うことができる。また、インナーハウジングとアウターハウジングとの合体完了時には、インナーハウジングがアウターハウジングによって周囲を囲まれて、複数の縦割インナー構成体が合体状態に固定されるので、複数の縦割インナー構成体をインナー仮保持手段によって仮保持後に、合体完了時には本保持されることになる。これにより、インナー仮保持手段の保持力（仮保持力）を小さくして、その仮保持操作及び仮保持解除操作を容易に行えるようにすることが可能になる。
【００１６】
なお、上記したインナー抜止係合手段は、インナーハウジングとアウターハウジングとを圧入結合した圧入結合手段であってもよいし、請求項２，４の構成のように、インナーハウジングとアウターハウジングとを螺合結合した螺合結合手段であってもよい。インナー抜止係合手段が螺合結合手段であれば圧入結合手段である場合に比べて、回転霧化頭が強く加圧されることがなく、分解及び合体に伴う回転霧化頭の変形・損傷が防がれる。また、インナー抜止係合手段が螺合結合手段である場合には、螺合操作用の工具を係合可能な工具係合部をインナーハウジングの前面側に設ける構成も考え得るが、請求項３，４の回転霧化頭のように、インナーハウジングのうち中央組付孔を通して後方に露出した後端面に工具係合部を備えれば、工具係合部が塗料の霧化に悪影響を及ぼすこともない。
【００１７】
［請求項５，８の発明］
請求項５，８の構成によれば、中央組付孔外で複数の縦割インナー構成体がインナー合体位置決手段によって互いに合体した状態に位置決めされるので、アウターハウジングとインナーハウジングとの合体操作中に、複数の縦割インナー構成体が位置ずれすることが防がれ、アウターハウジングとインナーハウジングとの合体操作を容易に行うことができる。
【００１９】
［請求項６の発明］
請求項６の構成によれば、フロントインナー構成体を複数の縦割インナー構成体から分離することで塗料部屋の前方に向けて開放することができ、清掃がより一層容易になる。
【００２１】
［請求項７の発明］
請求項７の回転霧化頭の構成によれば、インナー抜止係合手段による係合を解除してインナーハウジングをアウターハウジングの中央組付孔から取り出してから複数の縦割インナー構成体に分解することで、塗料部屋の全体を側方に開放することができ、従来より容易に塗料部屋内の全体を清掃することができる。また、複数の縦割インナー構成体を合体させてインナーハウジングとした上で、アウターハウジングの中央組付孔内に組み付けてインナー抜止係合手段にて抜け止めすれば、インナーハウジングがアウターハウジングによって周囲を囲まれて縦割インナー構成体同士が合体した状態に固定される。
また、インナーハウジングから前方に突出した可撓筒壁が、回転霧化頭の合体状態で縮径変形されて、その弾発力で中央組付孔の内面に押し付けられるので、回転霧化頭の前端面におけるインナーハウジングとアウターハウジングとの間の分割面の隙間を確実に塞ぐことができる。
【図面の簡単な説明】
【００２３】
【図１】本発明の第１実施形態に係る回転霧化頭の側断面図
【図２】筒形回転駆動シャフトから外された回転霧化頭の側断面図
【図３】回転霧化頭の一部を拡大した側断面図
【図４】インナーハウジングの前面図
【図５】インナーハウジングの後面図
【図６】本発明の第２実施形態に係る回転霧化頭の側断面図
【図７】その回転霧化頭のインナーハウジングの前面図
【図８】本発明の第３実施形態に係る回転霧化頭の側断面図
【図９】本発明の変形例に係る回転霧化頭の側断面図
【図１０】本発明の変形例に係る回転霧化頭の側断面図
【図１１】本発明の変形例に係る回転霧化頭の側断面図
【発明を実施するための形態】
【００２４】
［第１実施形態］
以下、本発明の一実施形態を図１〜図５に基づいて説明する。図１には、塗装ガン１０の先端部が示されている。この塗装ガン１０は、本発明に係る回転霧化頭２０を先端部に備え、その回転霧化頭２０以外は、公知な構造になっている。即ち、塗装ガン１０は、筒形ボディ１１の中心部に筒形回転駆動シャフト１２を回転可能に支持して備え、その筒形回転駆動シャフト１２が図示しないエアーモーターから動力を受けて回転駆動されるようになっている。また、筒形回転駆動シャフト１２の中心部には、塗料供給管１３が遊嵌されかつその後端部が筒形ボディ１１に対して固定されている。そして、塗料供給管１３の内側の第１供給路１３Ａを通して、塗料が前方に向けて供給されると共に、塗料供給管１３の外側面と筒形回転駆動シャフト１２の内側面との間の第２供給路１２Ａを通して溶剤が前方に向けて供給される。また、筒形回転駆動シャフト１２の外周面には、前端部に雄螺子部１２Ｎが設けられると共に、その後側には、後方に向かって拡径したテーパー軸部１２Ｔが設けられている。また、塗料供給管１３の前端部には、全体より外径が小さいノズル部１３Ｃが備えられ、そのノズル部１３Ｃが筒形回転駆動シャフト１２の先端面より前方に突出している。
【００２５】
図２に示すように、回転霧化頭２０は、略円筒状のシャフト結合部２４の前端にベル形鍔部２３を備えてなる。また、シャフト結合部２４の内側は、ベル形鍔部２３によって前端を閉塞された結合凹部２４Ｅになっている。その結合凹部２４Ｅの内周面には、奥部に雌螺子部２４Ｎが形成されると共に、その雌螺子部２４Ｎの後側には、後方に向かって拡径したテーパー孔部２４Ｔが形成されている。そして、図１に示すように、シャフト結合部２４の雌螺子部２４Ｎと筒形回転駆動シャフト１２の雄螺子部１２Ｎとが螺合されかつ、シャフト結合部２４のテーパー孔部２４Ｔと筒形回転駆動シャフト１２のテーパー軸部１２Ｔとが摩擦係合して、回転霧化頭２０が筒形回転駆動シャフト１２と一体回転可能に結合されている。
【００２６】
図２に示すように、ベル形鍔部２３の前面は、前方に向かって拡径した前端凹面２６になっている。前端凹面２６は、中央円形部２６Ａと、その外側を囲む中間環状部２６Ｂと、さらにその外側を囲む外側環状部２６Ｃとからなる。中央円形部２６Ａは、回転霧化頭２０の回転中心線と直交する平坦面に対して僅かに傾斜して前方に向かって拡径したテーパー面になっている。また、中間環状部２６Ｂは、前端凹面２６のうち中央寄り位置の狭い範囲に設けられ、回転霧化頭２０の回転中心と平行な円筒面に対して僅かに傾斜して前方に向かって拡径したテーパー面になっている。外側環状部２６Ｃは、中間環状部２６Ｂより大きな傾斜角で前方に向かって拡径したテーパー面になっている。なお、中間環状部２６Ｂと外側環状部２６Ｃとの間は緩やかに湾曲している。また、外側環状部２６Ｃの外縁部には、径方向に延びた複数の溝２６Ｄが形成されている。
【００２７】
図１に示すように、ベル形鍔部２３には、前端凹面２６における中央円形部２６Ａの後方に塗料部屋２７が形成されている。塗料部屋２７の内部側面２７Ｓは、前方に向かって拡径したテーパー面になっている。また、塗料部屋２７と前端凹面２６とを区画する前面区画壁２８の内面、即ち、塗料部屋２７の内部前面２７Ｆの中央部からは、円錐形突部２８Ｔが突出している。さらに、前面区画壁２８には、複数の中央排出孔３０と複数の外縁排出孔３１とが貫通形成されている。複数の中央排出孔３０は、円錐形突部２８Ｔの中腹部分から中央円形部２６Ａの中心に向かって延び、それら複数の中央排出孔３０の前面開口は１つに纏められている。一方、複数の外縁排出孔３１は、前面区画壁２８の円形の外縁部に沿って円環状に等間隔に並べられている（図４参照）。そして、それら複数の外縁排出孔３１の中心軸が全て、塗料部屋２７の内部側面２７Ｓと平行になって延びている。さらには、各外縁排出孔３１の中心と回転霧化頭２０の中心とを含む平面で回転霧化頭２０を切断した切断面（図２に示した切断面）では、外縁排出孔３１のうち回転霧化頭２０の中心から最も離れた部分が塗料部屋２７の内部側面２７Ｓと面一になっている。
【００２８】
図１に示すように、塗料部屋２７と結合凹部２４Ｅとを区画する後面区画壁２９の中央には、後部センター孔３２が貫通形成されている。そして、後部センター孔３２に、塗料供給管１３のノズル部１３Ｃの先端部が突入している。また、塗料部屋２７の内部後面２７Ｒは、後部センター孔３２の開口縁に向かって迫り上がるように湾曲している。
【００２９】
図２に示すように、回転霧化頭２０は、インナーハウジング５０とアウターハウジング４０とに分割されると共に、そのインナーハウジング５０が、１対の縦割インナー構成体７１，７２とフロントインナー構成体７３と合体保持リング７４とに分割されている。具体的には、回転霧化頭２０のうち結合凹部２４Ｅより前側部分には、結合凹部２４Ｅより内径が段付き状に大きくなった中央組付孔４１が形成されている。そして、中央組付孔４１と結合凹部２４Ｅとが連通し、それら中央組付孔４１と結合凹部２４Ｅの外側部分が筒状のアウターハウジング４０になっている。また、インナーハウジング５０は、塗料部屋２７を内側に備え、中央組付孔４１内に組み付けられている。なお、本実施形態では、アウターハウジング４０は、例えばアルミ製であって、インナーハウジング５０は、例えば樹脂製となっている。
【００３０】
中央組付孔４１のうち結合凹部２４Ｅとの境界部分には、後方当接面４１Ａが備えられ、その後方当接面４１Ａは、回転霧化頭２０の回転軸方向に直交する平坦面になっている。また、中央組付孔４１の内周面には、後側から順番に、奥側円筒部４１Ｂ、雌螺子部４１Ｃ（本発明の「螺合結合手段」及び「インナー抜止係合手段」に相当する）、中間円筒部４１Ｄ及び前端当接部４１Ｅが備えられている。そして、雌螺子部４１Ｃの螺子山が、奥側円筒部４１Ｂより内側に突出している。また、中間円筒部４１Ｄは、奥側円筒部４１Ｂより内径が大きな円筒面になっていて、中間円筒部４１Ｄと雌螺子部４１Ｃとの間の段差部分は、テーパー状になっている。前端当接部４１Ｅは、回転霧化頭２０の回転中心と平行な円筒面に対して僅かに傾斜して前方に向かって拡径したテーパー面になっている。さらに、前端当接部４１Ｅの前端部は、外側環状部２６Ｃのうち中間環状部２６Ｂ寄り位置に配置されている。
【００３１】
インナーハウジング５０は、前端部と後端部に前面区画壁２８と後面区画壁２９とを備えかつ、前面区画壁２８より前方に可撓筒壁５２が張り出した構造になっている。インナーハウジング５０の外周面のうち前後方向の中間部には、前面区画壁２８の側方部分に傾斜段差部５０Ｄが設けられ、その傾斜段差部５０Ｄより後方に雄螺子部５５（本発明の「螺合結合手段」及び「インナー抜止係合手段」に相当する）が設けられ、さらに後方に、合体保持リング７４が組み付けられている。一方、インナーハウジング５０のうち傾斜段差部５０Ｄより前方には雄螺子部５５より外径が大きな嵌合軸部５３が備えられ、さらに、その嵌合軸部５３より前側が前記した可撓筒壁５２になっている。
【００３２】
インナーハウジング５０は、中央組付孔４１に対して前方から組み付けられ、嵌合軸部５３が中央組付孔４１の中間円筒部４１Ｄに嵌合されることでアウターハウジング４０に対して心だしされている。また、インナーハウジング５０は、雄螺子部５５がアウターハウジング４０の雌螺子部４１Ｃに螺合することで中央組付孔４１内に保持され、図３に示すように、インナーハウジング５０の後端面２９Ｒが後方当接面４１Ａに当接することでアウターハウジング４０に対して軸方向で位置決めされている。さらに、インナーハウジング５０の可撓筒壁５２は、縮径変形した状態で前端当接部４１Ｅに密着している。
【００３３】
詳細には、以下の通りである。即ち、図３には、インナーハウジング５０が中央組付孔４１内に組み付けられかつ、可撓筒壁５２が縮径変形していない状態が拡大して示されている。同図に示すように、可撓筒壁５２の外周面であるテーパー面５２Ｔは、可撓筒壁５２の基端部で中央組付孔４１の前端当接部４１Ｅから僅かに離間し、可撓筒壁５２の先端部で前端当接部４１Ｅと干渉する形状になっている。即ち、可撓筒壁５２の先端部の外径は、前端当接部４１Ｅの最大の外径より僅かに大きくなっていて、それら可撓筒壁５２の先端部の外径と、前端当接部４１Ｅの最大の外径との差分だけ可撓筒壁５２が縮径変形して前端当接部４１Ｅに密着し、インナーハウジング５０と中央組付孔４１の内面との隙間が前端凹面２６側で閉塞されている。
【００３４】
インナーハウジング５０は、上述したように、１対の縦割インナー構成体７１，７２とフロントインナー構成体７３と合体保持リング７４とに分割されている。フロントインナー構成体７３は、インナーハウジング５０の前面区画壁２８のうち径方向の中央より内側部分を構成する円盤体であって、前述した中央排出孔３０と円錐形突部２８Ｔとを有している。また、フロントインナー構成体７３の外周面には係合溝７３Ｂが全周に形成されている。
【００３５】
縦割インナー構成体７１，７２は、インナーハウジング５０を回転中心線を含む面で２分割した形状になっている。また、縦割インナー構成体７１，７２には、インナーハウジング５０の前面区画壁２８のうち径方向の中央より外側部分を構成する半リング部７１Ａ，７２Ａが一体に備えられ、それら半リング部７１Ａ，７２Ａの内面には、角形突条７１Ｂ，７２Ｂが形成されている。そして、角形突条７１Ｂ，７２Ｂがフロントインナー構成体７３の係合溝７３Ｂに嵌合している。なお、角形突条７１Ｂ，７２Ｂの突出量は、係合溝７３Ｂの奥行きより小さくなっている。
【００３６】
図４における上側に示された一方の縦割インナー構成体７１には、他方の縦割インナー構成体７２との接合面に１対の位置決め突起７５，７５が形成されている。それら１対の位置決め突起７５，７５は、インナーハウジング５０の軸回りの１８０度離れた位置に配置されると共に、図２に示すようにインナーハウジング５０の軸方向においては、前寄り位置（具体的には、可撓筒壁５２に相当する部分）に配置されている。また、図４における下側に示された縦割インナー構成体７２には、１対の位置決め突起７５，７５と凹凸係合可能な１対の位置決め孔７６，７６が形成されている。
【００３７】
図３に示すように、縦割インナー構成体７１，７２の後端部は、互いに合体した状態で外周面の後端部にリング嵌合部５６が形成されるようになっている。リング嵌合部５６は、雄螺子部５５より段付き状に径が小さくなっている。そして、合体保持リング７４がリング嵌合部５６に嵌合され、雄螺子部５５とリング嵌合部５６との段差面に当接している。より詳細には、合体保持リング７４は、全体が円形のリングであって、そのリングを構成する部材の断面は、略四角形になっている。そして、合体保持リング７４の内周面がリング嵌合部５６に嵌合し、合体保持リング７４の前端面が雄螺子部５５とリング嵌合部５６との段差面に当接する一方、合体保持リング７４の後端面がアウターハウジング４０の後方当接面４１Ａに当接するようになっている。また、合体保持リング７４とリング嵌合部５６との嵌め合いは、例えば、圧入操作を要しない隙間嵌めになっていて、摩擦係合によって合体保持リング７４がリング嵌合部５６に嵌合した状態が維持されるようになっている。
【００３８】
なお、本実施形態では、合体保持リング７４とリング嵌合部５６との嵌合機構が、本発明に係る「インナー仮保持手段」に相当し、この「インナー仮保持手段」によって後に説明するようにインナーハウジング５０が中央組付孔４１外でも合体状態に保持される。
【００３９】
本実施形態の回転霧化頭２０の構成に関する説明は以上である。次に、この回転霧化頭２０の作用効果について説明する。回転霧化頭２０は、塗装ガン１０の筒形回転駆動シャフト１２に取り付けられて使用される。即ち、塗装ガン１０は、回転霧化頭２０を筒形回転駆動シャフト１２と共に回転駆動させた状態で、塗料部屋２７に第１供給路１３Ａから塗料、第２供給路１２Ａから溶剤を供給する。すると、塗料が塗料部屋２７内で溶剤と混合され、中央排出孔３０及び外縁排出孔３１から前端凹面２６上に排出される。そして、遠心力を受けた塗料が前端凹面２６の外縁部から前方に霧状になって放出される。
【００４０】
ところで、塗装ガン１０の使用中に塗料の色替え等を行う場合には、第１供給路１３Ａから塗料の代わりに洗浄用の溶剤が塗料部屋２７に供給されて、回転霧化頭２０における塗料の通過経路が洗浄される。しかしながら、そのような簡易的な洗浄では、回転霧化頭２０を十分に洗浄することができないことがあるので、必要に応じて回転霧化頭２０を分解し、塗料部屋２７内を清掃する。
【００４１】
回転霧化頭２０を分解するには、回転霧化頭２０を塗装ガン１０の筒形回転駆動シャフト１２から取り外し、インナーハウジング５０の工具係合孔６１を、アウターハウジング４０の中央組付孔４１及び結合凹部２４Ｅを通して後方に露出させる。そして、図２に示すように、工具係合孔６１に工具９０の係合突部９１を係合させて、インナーハウジング５０をアウターハウジング４０に対して一方向に回転すればよい。すると、インナーハウジング５０がアウターハウジング４０の前方に離脱する。
【００４２】
次いで、インナーハウジング５０を分解する。そのためには、合体保持リング７４をインナーハウジング５０全体から抜き取り、１対の縦割インナー構成体７１，７２を分離して、それら縦割インナー構成体７１，７２からフロントインナー構成体７３を取り外す。これにより、塗料部屋２７の全体が側方と前方とに開放した状態になり、従来より容易に塗料部屋２７内の全体を清掃することができる。
【００４３】
また、回転霧化頭２０を合体状態に戻すには、縦割インナー構成体７１，７２の一方の接合面を上に向けた状態にしてフロントインナー構成体７３を組み付けてから、縦割インナー構成体７１，７２の他方を一方に上方から合体させる。すると、図３に示すように、位置決め突起７５と位置決め孔７６との凹凸係合によって縦割インナー構成体７１，７２が互いに位置決めされると共に係合溝７３Ｂと角形突条７１Ｂ，７２Ｂとの凹凸係合によってフロントインナー構成体７３と縦割インナー構成体７１，７２とが位置決めされる。
【００４４】
次いで、合体した縦割インナー構成体７１，７２のリング嵌合部５６に合体保持リング７４を嵌合して、インナーハウジング５０を合体状態に仮保持し、アウターハウジング４０の中央組付孔４１に前方から挿入する。そして、中央組付孔４１に後方から挿入した工具９０をインナーハウジング５０の工具係合孔６１に係合させて、分解時と逆側に回転させる。すると、インナーハウジング５０の雄螺子部５５とアウターハウジング４０の雌螺子部４１Ｃとの螺合が深まるに従ってインナーハウジング５０が後方に移動し、インナーハウジング５０の嵌合軸部５３がアウターハウジング４０の中間円筒部４１Ｄに嵌合する。これにより、インナーハウジング５０がアウターハウジング４０に対して心だしされると共に、インナーハウジング５０がアウターハウジング４０によって周囲を囲まれて、縦割インナー構成体７１，７２及びフロントインナー構成体７３が分離不能に固定される。
【００４５】
さらに、雄螺子部５５と雌螺子部４１Ｃとの螺合が深まってインナーハウジング５０が中央組付孔４１の奥部に移動すると、インナーハウジング５０の合体保持リング７４がアウターハウジング４０の後方当接面４１Ａに当接する。これにより、合体保持リング７４がインナーハウジング５０のリング嵌合部５６から離脱不能になる。これにより、インナーハウジング５０が合体状態に固定されると共に、アウターハウジング４０に対して位置決めされ、合体作業が完了する。
【００４６】
上記したように本実施形態の構成によれば、回転霧化頭２０をアウターハウジング４０と縦割インナー構成体７１，７２とフロントインナー構成体７３と合体保持リング７４とに分解することで、回転霧化頭２０の塗料部屋２７の全体が側方と前方とに開放した状態になり、従来より容易に塗料部屋２７内の全体を清掃することができる。また、インナーハウジング５０がアウターハウジング４０に対して螺合結合されることで中央組付孔４１内に抜け止めされているので、圧入結合にて抜け止めする構成のものに比べて、回転霧化頭２０が強く加圧されることがなく、分解及び合体に伴う回転霧化頭２０の変形・損傷が防がれる。しかも、その螺合操作用の工具９０を係合させる工具係合孔６１が、インナーハウジング５０のうち中央組付孔４１を通して後方に露出した後端面に配置されているので、工具係合孔６１が塗料の霧化に悪影響を及ぼすこともない。
【００４７】
また、インナーハウジング５０に備えた合体保持リング７４とリング嵌合部５６との嵌合によって、中央組付孔４１外でもインナーハウジング５０が合体状態に仮保持されるので、アウターハウジング４０とインナーハウジング５０との合体操作中に、インナーハウジング５０が分解されてしまうことが防がれる。さらに、合体状態に仮保持されたインナーハウジング５０は、アウターハウジング４０との合体完了時にはアウターハウジング４０によって周囲を囲まれ、縦割インナー構成体７１，７２、フロントインナー構成体７３及び合体保持リング７４が合体状態に固定されるので、これにより合体保持リング７４とリング嵌合部５６による嵌合抵抗を小さくして、それらの嵌合操作（即ち、仮保持操作及びその解除操作）を容易に行えるようにすることが可能になる。
【００４８】
また、インナーハウジング５０から前方に突出した可撓筒壁５２が、回転霧化頭２０の合体状態で縮径変形されて、その弾発力で中央組付孔４１の内面に押し付けられるので、回転霧化頭２０の前端面におけるインナーハウジング５０とアウターハウジング４０との間の分割面の隙間を確実に塞ぐことができる。
【００４９】
さらに、本実施形態の回転霧化頭２０の構成によれば、形状が異なる複数種類のフロントインナー構成体７３を備え、それら複数種類のフロントインナー構成体７３のうち任意の１つを、例えば、塗料の粘性や塗料の噴出量等に応じて選択し、１対の縦割インナー構成体７１，７２に合体可能とすることもできる。そうすれば、複数種類のフロントインナー構成体７３の間で、１対の縦割インナー構成体７１，７２を兼用することができ、コスト低減が図られる。また、形状が異なる複数種類のインナーハウジング５０のうち任意の１つをアウターハウジング４０に合体可能とした場合にも同様の効果を奏することができる。
【００５０】
なお、本実施形態の回転霧化頭２０では、フロントインナー構成体７３の係合溝７３Ｂと縦割インナー構成体７１，７２の角形突条７１Ｂ，７２Ｂとの係合によって縦割インナー構成体７１，７２及びフロントインナー構成体７３が互いに位置決めされるので、位置決め突起７５及び位置決め孔７６を廃止してもよい。即ち、本実施形態では、係合溝７３Ｂ及び角形突条７１Ｂ，７２Ｂも本発明に係る「インナー合体位置決手段」に相当する。
【００５１】
［第２実施形態］
本実施形態の回転霧化頭２０Ｖは、図６及び図７に示されており、インナーハウジング５０Ｖにおける前面区画壁２８の分割面が第１実施形態と異なる。即ち、前記第１実施形態では、インナーハウジング５０における前面区画壁２８のうち中央部分がフロントインナー構成体７３になって他の部分から分離可能であったが、本実施形態の回転霧化頭２０Ｖでは、前記第１実施形態のフロントインナー構成体７３に相当する部分が一方の縦割インナー構成体７１Ｖと一体になっている。具体的には、図７に示すように、前面区画壁２８のうち径方向の中間部より外側部分は、縦割インナー構成体７１Ｖ，７２Ｖの分割面と面一の分割面で分割されると共に、前面区画壁２８のうち径方向の中間部より内側部分は、縦割インナー構成体７１Ｖから縦割インナー構成体７２Ｖ側に膨らんだ半円形の分割面で分割されている。これにより、一方の縦割インナー構成体７１Ｖには半円形突部７１Ｄが突出形成される一方、他方の縦割インナー構成体７２Ｖには半円形凹部７２Ｄが陥没形成されている。
【００５２】
また、図６に示すように、半円形突部７１Ｄの外周面には、その幅方向の両端部から中央に向かうに従って徐々に深くなるように陥没したＶ字溝７１Ｅが形成される一方、半円形凹部７２Ｄの内周面は、幅方向の両端部から中央に向かうに従って突出した山形突部７２Ｅが形成されている。そして、これらＶ字溝７１Ｅと山形突部７２Ｅとの係合によって縦割インナー構成体７１Ｖ，７２Ｖがインナーハウジング５０Ｖの軸方向で互いに位置決めされている。本実施形態における上記以外の構成は、第１実施形態と同じである。この本実施形態の回転霧化頭２０Ｖの構成によっても、インナーハウジング５０Ｖを分解すれば、塗料部屋２７全体が側方に開放し、容易に清掃することができるようになる。
【００５３】
［第３実施形態］
本実施形態の回転霧化頭２０Ｗは、図８に示されており、前面区画壁２８全体がフロントインナー構成体７３になって、縦割インナー構成体７１Ｗ，７２Ｗから分離可能になっている。具体的には、フロントインナー構成体７３と縦割インナー構成体７１Ｗ，７２Ｗとの分割面は、インナーハウジング５０Ｗのうち前端凹面２６における中央円形部２６Ａと中間環状部２６Ｂとの円形の境界線に一端が位置して、そこから後方に向かって徐々に径を広がったテーパー面２８Ｊと、前面区画壁２８の後面でもある塗料部屋２７の内部前面２７Ｆをテーパー面２８Ｊと交差するまで延長してなる円環状平坦面２８Ｋとからなる。本実施形態における上記以外の構成は、第１実施形態と同じである。
【００５４】
本実施形態の回転霧化頭２０Ｗの構成によれば、フロントインナー構成体７３は、前端部より後端側の外径が大きな形状をなし、縦割インナー構成体７１Ｗ，７２Ｗの間に挟まれてインナーハウジング５０の回転軸方向で位置決めされると共に、縦割インナー構成体７１Ｗ，７２Ｗもフロントインナー構成体７３によってインナーハウジング５０の回転軸方向及びそれと直交する方向で位置決めされている。また、本実施形態の回転霧化頭２０Ｖの構成によって、第１実施形態と同様の作用効果を奏する。
［他の実施形態］
【００５５】
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５６】
（１）前記第１実施形態の回転霧化頭２０を変形して、図９に示した回転霧化頭２０Ｘのように、インナーハウジング５０をアウターハウジング４０に対して圧入して抜け止めする構成としてもよい。具体的には、図９に示した回転霧化頭２０Ｙにおける中央組付孔４１の内周面には、中央組付孔４１の奥側円筒部４１Ｂより前側にその奥側円筒部４１Ｂより内径が小さい中間小径部４１Ｐが設けられている。その中間小径部４１Ｐは、後側の奥側円筒部４１Ｂに対して緩やかに傾斜して繋がると共に、前側の中間円筒部４１Ｄに対して緩やかに傾斜して繋がっている。これに対し、インナーハウジング５０の外周面には、中間小径部４１Ｐに対応した凹部５０Ｐが形成されている。そして、凹部５０Ｐより後端側の後端円柱部５０Ｒが中間小径部４１Ｐに前方から圧入され通過し、中間小径部４１Ｐが凹部５０Ｐに係合した状態でインナーハウジング５０が中央組付孔４１に抜け止めされているようになっている。これと同様に、図１０に示した回転霧化頭２０Ｙのように、前記第２実施形態の回転霧化頭２０Ｖにおけるインナーハウジング５０Ｖをアウターハウジング４０に対して圧入して抜け止めする構成としてもよいし、図１１に示した回転霧化頭２０Ｚのように、前記第３実施形態の回転霧化頭２０Ｗにおけるインナーハウジング５０Ｗをアウターハウジング４０に対して圧入して抜け止めする構成としてもよい。
【００５７】
（２）前記第１実施形態では、インナーハウジング５０が、回転中心軸と直交する方向で１対の縦割インナー構成体７１，７２に２分割されていたが、インナーハウジングを回転中心軸回りの周方向で例えば、３つ又は４つの縦割インナー構成体に分割してもよい。
【符号の説明】
【００５８】
１０    塗装ガン
２０，２０Ｖ〜２０Ｚ    回転霧化頭
２７    塗料部屋
２８    前面区画壁
４０    アウターハウジング
４１    中央組付孔
５０，５０Ｖ，５０Ｗ    インナーハウジング
５２    可撓筒壁
５５    雄螺子部
５６    リング嵌合部
６１    工具係合孔
７１，７１Ｖ，７１Ｗ，７２，７２Ｖ，７２Ｗ  縦割インナー構成体
７１Ｂ，７２Ｂ    角形突条
７３，７３Ｗ    フロントインナー構成体
７３Ｂ  係合溝
７４    合体保持リング
７５    位置決め突起
７６    位置決め孔
９０    工具
【図１】
0005633903.tif 000002
【図２】
0005633903.tif 000003
【図３】
0005633903.tif 000004
【図４】
0005633903.tif 000005
【図５】
0005633903.tif 000006
【図６】
0005633903.tif 000007
【図７】
0005633903.tif 000008
【図８】
0005633903.tif 000009
【図９】
0005633903.tif 000010
【図１０】
0005633903.tif 000011
【図１１】
0005633903.tif 000012